(57)【要約】【課題】本発明は、直接操作の困難な場所に設置されたスライドスイッチの操作つまみを切り換えるために使用されるスライドスイッチの切換操作レバーに関する。【解決手段】本発明に係る、所定の間隔で物体の面と対向するボックスの一方面に操作つまみが在るスライドスイッチの切換操作レバー１０は、操作つまみと係合する一方端の係合部１０４と、係合部１０４を稼動させるために操作される他方端のつまみ部１０１と、係合部１０４とつまみ部１０１との間に設けられ、操作つまみからボックスの一方面に直交する一側面までのボックスの一方面上に在る枢軸と枢着する、係合部１０４の稼動の支点となる枢着部１０２とを備えて構成される。【選択図】  図１
2004288552.tif 000002
【特許請求の範囲】
【請求項１】
所定の間隔で物体の面と対向するボックスの一方面に操作つまみが在るスライドスイッチの切換操作レバーにおいて、
前記スライドスイッチの切換操作レバーは、
前記操作つまみと係合する一方端の係合部と、
前記係合部を稼動させるために操作される他方端のつまみ部と、
前記係合部と前記つまみ部との間に設けられ、前記操作つまみから前記ボックスの一方面に直交する前記ボックスの一側面までの前記ボックスの一方面上に在る枢軸と枢着する、前記係合部の稼動の支点となる枢着部とを備えること
を特徴とするスライドスイッチの切換操作レバー。
【請求項２】
前記枢軸は、前記ボックスに一体的に形成されていること
を特徴とする請求項１に記載のスライドスイッチの切換操作レバー。
【請求項３】
前記枢軸は、前記スライドスイッチが配設される回路基板を前記ボックスの内部に固定する固定部材における、前記ボックスの外部に露出した露出部分であること
を特徴とする請求項１に記載のスライドスイッチの切換操作レバー。
【請求項４】
前記枢着部が前記枢軸から脱落することを防止するキャップをさらに備えること
を特徴とする請求項１乃至請求項３の何れか１項に記載のスライドスイッチの切換操作レバー。
【請求項５】
前記つまみ部の移動範囲を制限する一対の突部を前記ボックスの一方面上にさらに設けること
を特徴とする請求項１乃至請求項４の何れか１項に記載のスライドスイッチの切換操作レバー。
【発明の詳細な説明】
【０００１】
【発明の属する技術分野】
本発明は、スライドスイッチの切換操作レバーに関し、特に、直接操作の困難な場所に設置されたスライドスイッチの操作つまみを切り換えるために使用されるスライドスイッチの切換操作レバーに関する。
【０００２】
【従来の技術】
一般に、電気・電子の回路基板は、防塵、防湿、安全性及び美観等の観点からボックスに収容され、回路の接続状態を切り替えるスイッチは、ボックスの外部から操作することができるように、スイッチがボックスの外部に配置されたり、スイッチの操作つまみがボックス外に露出されたりする。
【０００３】
例えば、特許文献１には、スイッチの操作つまみがボックスの外部に露出している状態が開示されている。図６は、特許文献１に記載のワイヤレス中継端末器の概観を示す図である。図６において、ワイヤレス中継端末器４１０は、ワイヤレス信号線を接続する端子４１１、信号線を接続する端子４１２、商用電源が接続される端子４１３、及び、発信器コードを設定するための登録モードに動作モードを切り換える登録モードスイッチ４１４を備える。そして、この特許文献１には、登録モードスイッチ４１４の操作つまみ４１４ａがワイヤレス中継端末４１０のボックスの外部に在る状態が開示されている。
【０００４】
このようにスイッチの操作つまみは、通常、容易に切換の操作を行うことができるように、ボックスの前面に在るように配設される。しかしながら、回路パターンの構成上の都合、切換頻度が少ない場合又はいたずらを防止する場合等の種々の理由により、ボックスの背面にスイッチの操作つまみが在るようにスイッチが配設される場合がある。
【０００５】
図７は、ボックスの背面にスイッチの操作つまみが露出している状態を説明するための図である。図７（Ａ）は、ボックスの右側面であり、図７（Ｂ）は、ボックスの背面図であるが、ボックスの背面に操作つまみが露出している状況が分かるように取付け板の一部を除いて記載されている。
【０００６】
図７において、電気・電子の回路基板を収容するボックス３０１は、固設されている脚部３１１を介して取付け板３１２が固設されており、取付け板３１２がネジ等によって壁４００の壁面に着設されることによって壁４００に設置される。ボックス３０１の背面は、取付け板３１２の表面（壁４００と着設される面と逆面）と対向しており、ボックス３０１の背面と取付け板３１２の表面との間は、脚部３１１の高さに略相当する間隔の間隙が設けられている。そして、ボックス３０１の背面には、矩形の開口部３０２が開けられており、回路基板に配設されたスライドスイッチ３５１の操作つまみ３５１ａが開口部３０２からボックス３０１の背面に露出している。
【０００７】
このような場合に、操作者は、例えば人差し指等の手指５００をボックス３０１の背面と取付け板３１２の表面との間隙に差し入れて、操作つまみ３５１ａを操作することによって、スライドスイッチを切り換えている。
【０００８】
【特許文献１】
特開平０９−０６５４６２号公報の図１４
【０００９】
【発明が解決しようとする課題】
ところで、このように、ボックスの背面にスイッチの操作つまみが露出しており、ボックスがその背面とこれに対向する面との間に所定の間隔を設けて設置されている場合には、上述のように、操作者は、その所定の間隔の間隙に手指を差し入れて操作つまみを操作しなければならない。この場合に、所定の間隔が手指と較べて狭い場合には、手指が入らないという問題、入っても手指が各面に当たって擦り傷ができるという問題、指先に負担がかかり痛いという問題、指先だけで操作するため操作つまみが固い場合には操作つまみが動かないという問題があった。特に、操作つまみの配置位置がボックスの側面から離れて奥にある場合には、手指だけでなく手掌の方まで間隙に差し入れなければならないため、これら問題は重大な問題となる。さらに、このような場合には、手探りとなるため、操作つまみの配置位置が分かり難く作業性を阻害するという問題も生じる。
【００１０】
一方、充分な間隔を空ければこれらの問題は解決するが、ボックスがその背面とこれに対向する面との間は、デットスペースとなるため、無駄になるという問題が生じる。さらに、壁４００からよりボックスが突出することになるため、ボックスが邪魔になるという問題やボックスに当たって怪我をし易いという問題も生じる。
【００１１】
本発明は、上記問題に鑑みてなされたものであり、ボックスの一方面とこれに対向する面との間に所定の間隔が設けられ該一方面に在るスライドスイッチの操作つまみを操作する切換操作レバーを提供することを目的とする。
【００１２】
【課題を解決するための手段】
上述の目的を達成するために、請求項１に記載の発明では、所定の間隔で物体の面と対向するボックスの一方面に操作つまみが在るスライドスイッチの切換操作レバーにおいて、前記スライドスイッチの切換操作レバーは、前記操作つまみと係合する一方端の係合部と、前記係合部を稼動させるために操作される他方端のつまみ部と、前記係合部と前記つまみ部との間に設けられ、前記操作つまみから前記ボックスの一方面に直交する前記ボックスの一側面までの前記ボックスの一方面上に在る枢軸と枢着する、前記係合部の稼動の支点となる枢着部とを備えて構成される。
【００１３】
このような構成のスライドスイッチの切換操作レバーでは、スライドスイッチの操作つまみに係合部を係合させ、ボックスの枢軸に枢着部を枢着させて、つまみ部を移動操作することによって、係合部が枢着部を支点に稼動するので、スライドスイッチの操作つまみを移動させることができ、スライドスイッチを切り換え操作することができる。
【００１４】
請求項２に記載の発明では、請求項１に記載のスライドスイッチの切換操作レバーにおいて、前記枢軸は、前記ボックスに一体的に形成されている。このような構成では、枢軸をボックスと一体的に形成するので、既存の製造工程に枢軸を形成する工程を組み込み易く、安価に製造することができる。
【００１５】
請求項３に記載の発明では、請求項１に記載のスライドスイッチの切換操作レバーにおいて、前記枢軸は、前記スライドスイッチが配設される回路基板を前記ボックスの内部に固定する固定部材における、前記ボックスの外部に露出した露出部分である。このような構成では、回路基板を固定する固定部材を枢軸に兼用させるので、回路基板を固定する工程で枢軸も設けることができ、安価に製造することができる。
【００１６】
請求項４に記載の発明では、請求項１乃至請求項３の何れか１項に記載のスライドスイッチの切換操作レバーにおいて、前記枢着部が前記枢軸から脱落することを防止するキャップをさらに備える。このような構成では、キャップを備えるので、つまみ部を操作している間にスライドスイッチの切換操作レバーが外れることがなく、操作性が改善される。
【００１７】
請求項５に記載の発明では、請求項１乃至請求項４の何れか１項に記載のスライドスイッチの切換操作レバーにおいて、前記つまみ部の移動範囲を制限する一対の突部を前記ボックスの一方面上にさらに設ける。このような構成では、突部によってつまみ部の移動範囲が制限されるので、操作つまみの移動範囲を越えて係合部が稼動することを防止することができる。そのため、つまみ部の過移動、ひいては係合部の過移動によってスライドスイッチの破損を防止することができる。
【００１８】
【発明の実施の形態】
以下、本発明に係る実施形態を図面に基づいて説明する。なお、各図において同一の構成については、同一の符号を付し、その説明を省略する。
（第１の実施形態）
図１は、スライドスイッチの切換操作レバーを示す図であり、図１（Ａ）は、スライドスイッチの切換操作レバー裏面を上に向けた状態の斜視図であり、図１（Ｂ）は、上面図である。図２は、第１の実施形態におけるスライドスイッチの切換操作レバーの取付け状態を説明するための図であり、図２（Ａ）は、取付け板及び脚部を取り除いた状態でボックスの背面を示した図であり、図２（Ｂ）は、スライドスイッチの切換操作レバーを取り付けた状態を示すボックスの背面の要部拡大図であり、図２（Ｃ）は、スライドスイッチの切換操作レバーを取り付けた状態を示すＡ矢視図（下面図）である。
【００１９】
図１及び図２において、スライドスイッチの切換操作レバー（以下、「切換操作レバー」と略記する。）１０は、つまみ部１０１と、枢着部１０２と、腕部１０３と、係合部１０４とを備える細長い板状片である。切換操作レバー１０は、金属片やモールド形成された合成樹脂材等で製作される。
【００２０】
係合部１０４は、この細長い板状片の一端にあり、スライドスイッチ３５１の操作つまみ３５１ａと係合する部分である。本実施形態では、係合部１０４には、上面が塞がれた略円筒状凹部（即ち、下面が開口）１０４ａが形成され、図１（Ｂ）に破線で示すように、この円筒状凹部１０４ａに略直方体形状（立方体形状を含む）の操作つまみ３５１ａが遊嵌されることによって、切換操作レバー１０と操作つまみ３５１ａとが係合される。
【００２１】
枢着部１０２は、つまみ部１０１及び係合部１０４の移動の支点となる部分である。本実施形態では、枢着部１０２には、略円筒状の貫通孔１０２ａが形成され、この円筒状の貫通孔１０２ａがボックス３０１の背面３０１ａに突設された枢軸１１に回動可能に支持される。
【００２２】
腕部１０３は、この細長い板状片における係合部１０４と枢着部１０２とを繋ぐ部分である。つまみ部１０１は、係合部１０４を稼動させるために移動操作される部分であり、この細長い板状片における枢着部１０２から他端までの部分である。
【００２３】
図２（Ａ）において、電気・電子の回路基板を収容するボックス３０１は、従来のボックス３０１と同様にその背面３０１ａにスライドスイッチ３５１の操作つまみ３５１ａを外部に露出するための開口部３０２が設けられており、さらに、その背面３０１ａに、開口部３０２からボックス３０１の背面３０１ａに直交する一方側面３０１ｂまでの間に略円柱状の枢軸１１が突設される。なお、ボックス３０１の背面３０１ａが請求項のボックスの一方面に相当する一実施形態であり、ボックス３０１の一方側面３０１ｂが請求項のボックスの一側面に相当する一実施形態である。
【００２４】
枢軸１１は、ボックス３０１と同一材質の略円柱状部材を溶接によって一体的に設けたり、また、略円柱状部材の一部にねじ山を形成しボックス３０１にネジ溝を形成した孔を空けてネジ止めによって設けられる。そして、枢軸１１は、切換操作レバー１０の枢着部１０２と枢着する部分は、スムーズに回動するように滑らかな面に整形される。
【００２５】
このような形状の切換操作レバー１０は、図２（Ｂ）、（Ｃ）に示すように、切換操作レバー１０における係合部１０４の円筒状凹部１０４ａがスライドスイッチ３５１の操作つまみ３５１ａに遊嵌され、切換操作レバー１０における枢着部１０２の円筒状貫通孔１０２ａがボックス３０１の枢軸１１を嵌入される。このため、切換操作レバー１０は、枢着部１０２の円筒状貫通孔１０２ａが枢軸１１に回動可能に支持され、係合部１０４の円筒状凹部１０４ａが操作つまみ３５１ａに係合する。そして、切換操作レバー１０におけるつまみ部１０１の一部分がボックス３０１の側面３０１ｂから出る状態となる。
【００２６】
操作者がボックス３０１の側面３０１ｂから出ているつまみ部１０１を図２（Ｂ）に示すＸ１からＸ２に移動させることによって、切換操作レバー１０が枢着部１０２を支点に動くことによって、係合部１０４がＸ２からＸ１に移動し、その結果、係合部１０４に係合する操作つまみ３５１ａもＸ２からＸ１に移動する。このためスライドスイッチ３５１が切り換わる。
【００２７】
このように本実施形態では、切換操作レバー１０によってスライドスイッチ３５１の操作つまみ３５１ａを操作するので、ボックス３０１の背面３０１ａと取付け板３１２との間に形成される間隙に手指を入れる必要がなくなり、容易に操作つまみ３５１ａを切換操作することができる。
【００２８】
また、切換操作レバー１０を着脱自在にしたとしても、ボックス３０１の背面３０１ａと取付け板３１２との間に形成される間隙に枢軸１１の高さ又は操作つまみ３５１ａの高さに切換操作レバー１０の厚みを足した間隔があれば、操作者は、つまみ部１０１を持って、枢着部１０２に枢軸１１を、係合部１０４に操作つまみ３５１ａを取り付けることができるので、同様に、この間隙に手指を入れる必要がなくなり、容易に操作つまみ３５１ａを切換操作することができる。
【００２９】
ここで、切換操作レバー１０をテコと対比すると、つまみ部１０１がテコの力点（作用点）に、係合部１０４がテコの荷重点に、そして、枢着部１０２がテコの支点にそれぞれ相当し、切換操作レバー１０は、いわゆる第１種のテコになっている。そのため、図１（Ｂ）に示すように、つまみ部１０１の一端から枢着部１０２の中心までの距離Ｌ１と、枢着部１０２の中心から係合部１０４の中心までの距離Ｌ２との比を調整することにより、いわゆるテコの原理によって小さな力で操作つまみ３５１ａを切換操作することができる。
【００３０】
また、係合部１０４の中心点の移動軌跡は、枢着部１０２の中心点を中心とする半径Ｌ２の円弧であり、一方、スライドスイッチ３５１の操作つまみ３５１ａの移動軌跡は、直線である。しかしながら、操作つまみ３５１ａにおける一方側の定位置（例えばオン側の定位置）から他方側の定位置（例えばオフ側の定位置）までの移動距離がＬ２に対して短い場合には、係合部１０４の円筒状凹部１０４ａと操作つまみ３５１ａが遊嵌されているので、切換操作レバー１０の操作によりスムーズに操作つまみ３５１ａを移動させることができる。
【００３１】
なお、第１の実施形態においては、スライドスイッチ３５１の操作つまみ３５１ａがボックス３０１の背面３０１ａに露出する場合について説明したが、スライドスイッチ３５１がボックス３０１の背面３０１ａに配置されている場合にも、切換操作レバー１０を使用可能である。
（第２の実施形態）
第１の実施形態は、切換操作レバー１０の枢着部１０２を回動可能に支持する枢軸１１がボックス３０１の背面３０１ａに突設した実施形態であるが、第２の実施形態は、回路基板をボックスに固定する略円柱状の固定部材を枢軸に兼用する実施形態である。
【００３２】
図３は、第２の実施形態におけるスライドスイッチの切換操作レバーの取付け状態を説明するための図であり、図３（Ａ）は、取付け板及び脚部を取り除いた状態でボックスの背面を示した図であり、図３（Ｂ）は、ボックスに回路基板を収容した状態におけるボックスの背面を示す図であり、図３（Ｃ）は、スライドスイッチの切換操作レバーを取り付けた状態におけるボックスの上面部分を取り除いて描いた上面図である。
【００３３】
図３（Ａ）において、電気・電子の回路基板３５０を収容するボックス３０１’は、第１の実施形態におけるボックス３０１と同様にその背面３０１ａ’にスライドスイッチ３５１の操作つまみ３５１ａを外部に露出するための開口部３０２が設けられており、さらに、その背面３０１ａ’に、ボックス３０１の一方側面３０１ｂ’とこの開口部３０２との間に略円形形状の孔３０３が穿孔されている。この円形形状の孔３０３は、略円柱状の固定部材３６１を貫通させその一部分をボックス３０１’の外部に露出させるための孔であると共に、固定部材３６１によってボックス３０１’に回路基板３５０を取り付けるための孔であり、その内面には、固定部材３６１のネジ山と螺合するようにネジ溝が形成されている。固定部材３６１は、略円柱状の部材であり、孔３０３と螺合する部分にはねじ山が形成され、ボックス３０１’から外部に露出する部分は、滑らかな面に形成される。固定部材３６１は、例えば、ボックス３０１’から外部に露出する部分が滑らかな面に形成されたボルトである。
【００３４】
そして、図３（Ｂ）に示すように、回路基板３５０に配設されたスライドスイッチ３５１の操作つまみ３５１ａが開口部３０２から露出するように、かつ、回路基板３５０に穿孔された固定部材３６１用の孔が孔３０３に一致するように、回路基板３５０がボックス３０１’の内部に収容され、固定部材３６１によって固定される。固定部材３６１は、孔３０３に螺合され、滑らかな面に形成されている固定部材３６１の一部がボックス３０１’の背面３０１ａ’から突設するように露出する。なお、回路基板３５０をボックス３０１’に固定する場合に複数の固定部材を通常用いるが、少なくともその１個が本実施形態の固定部材３６１となる。
【００３５】
切換操作レバー１０は、図３（Ｃ）に示すように、切換操作レバー１０における係合部１０４の円筒状凹部１０４ａがスライドスイッチ３５１の操作つまみ３５１ａに遊嵌され、切換操作レバー１０における枢着部１０２の円筒状貫通孔１０２ａがワッシャ３６２を介して固定部材３６１に嵌入される。このため、切換操作レバー１０は、枢着部１０２の円筒状貫通孔１０２ａが固定部材３６１に回動可能に支持され、係合部１０４の円筒状凹部１０４ａが操作つまみ３５１ａに係合する。そして、切換操作レバー１０におけるつまみ部１０１の一部分がボックス３０１の側面３０１ｂ’から出る状態となる。
【００３６】
スライドスイッチの切換操作は、第１の実施形態と同様であるので、その説明を省略する。
【００３７】
なお、第１及び第２の実施形態において、図４に示すように、切換操作レバー１０の脱落を防止する観点から、枢軸１１又は固定部材３６１の頭部にキャップ３７１を被せてもよい。キャップ３７１は、略円柱状の枢軸１１又は固定部材３６１と嵌着する一方面が塞がれた略短円筒状凹部（即ち、他面が開口）の部材である。なお、図４は、第２の実施形態の場合においてキャップ３７１を固定部材３６１に装着した状態を示している。
【００３８】
また、第１及び第２の実施形態において、図５に示すように、切換操作レバー１０の過移動によるスライドスイッチ３５１の損傷を防止する観点から、切換操作レバー１０の移動範囲を制限する一対の突部３０４ａ、３０４ｂをボックス３０１”の背面３０１ａ”に設けてもよい。
【００３９】
一対の突部３０４ａ、３０４ｂは、例えば、ボックス３０１”の背面３０１ａ”からつまみ部１０１の高さよりも高さが高い略円柱状の部材である。突部３０４ｂは、切換操作レバー１０がＸ２からＸ１へ移動するに従ってスライドスイッチ３５１の操作つまみ３５１ａが移動し、操作つまみ３５１ａが一方側の定位置、例えばオン側の定位置になった場合における切換操作レバー１０（図５に実線で示す）に接するように切換操作レバー１０の移動方向外側に設けられる。このような位置に突部３０４ｂが突設されることによって、操作つまみ３５１ａの一方側の定位置を越えてさらに操作つまみ３５１ａを移動させるように、切換操作レバー１０が移動することがないので、スライドスイッチ３５１の損傷を防止することができる。また、突部３０４ａは、切換操作レバー１０がＸ１からＸ２へ移動するに従ってスライドスイッチ３５１の操作つまみ３５１ａが移動し、操作つまみ３５１ａが他方側の定位置、例えばオフ側の定位置になった場合における切換操作レバー１０（図５に破線で示す）に接するように切換操作レバー１０の移動方向外側に設けられる。このような位置に突部３０４ａが突設されることによって、操作つまみ３５１ａの他方側の定位置を越えてさらに操作つまみ３５１ａを移動させるように、切換操作レバー１０が移動することがないので、スライドスイッチ３５１の損傷を防止することができる。図５では、一対の突部３０４ａ、３０４ｂがボックス３０１”の一方側面３０１ｂ”近傍の背面３０１ａ”に設けた例を示すが、一対の突部３０４ａ、３０４ｂは、上記条件を満たす位置であれば、ボックス３０１”の背面３０１ａ”のどこでもよい。
【００４０】
なお、突部３０４ａ、３０４ｂは、スライドスイッチの切換操作が確実になされるようにする観点から、切換操作レバー１０と接する上述の位置よりも切換操作レバー１０の移動に若干遊びを持たせた位置に突設するようにしてもよい。
【００４１】
そして、第１及び第２の実施形態では、取付け板３１２と対向するボックス３０１の背面３０１ａにスライドスイッチ３５１の操作つまみ３５１ａが露出する場合について説明したが、ボックス３０１が壁面に所定の間隔で床に設置される場合において壁面と対向するボックス３０１の背面にスライドスイッチ３５１の操作つまみ３５１ａが露出する場合、ボックス３０１が所定の間隔で床に設置される場合において床面と対向するボックス３０１の底面にスライドスイッチ３５１の操作つまみ３５１ａが露出する場合、及び、ボックス３０１が所定の間隔で複数個並べて床に設置される場合において隣接するボックス３０１の側面と対向するボックス３０１の側面にスライドスイッチ３５１の操作つまみ３５１ａが露出する場合等にも本発明は、適用可能である。
【００４２】
【発明の効果】
上述したように、請求項１に記載の発明では、スライドスイッチの操作つまみに係合部を係合させ、ボックスの枢軸に枢着部を枢着させて、つまみ部を移動操作することによって、係合部が枢着部を支点に稼動するので、スライドスイッチの操作つまみを移動させることができ、スライドスイッチを切り換え操作することができる。このため、ボックスの一方面と物体の面との間に形成される間隙に手指を入れる必要がなくなり、容易に操作つまみを切換操作することができる。
【００４３】
請求項２に記載の発明では、枢軸をボックスと一体的に形成するので、既存の製造工程に枢軸を形成する工程を組み込み易く、安価に製造することができる。
【００４４】
請求項３に記載の発明では、回路基板を固定する固定部材を枢軸に兼用させるので、回路基板を固定する工程で枢軸も設けることができ、安価に製造することができる。
【００４５】
請求項４に記載の発明では、脱落防止のキャップを備えるので、つまみ部を操作している間にスライドスイッチの切換操作レバーが外れることがなく、操作性が改善される。
【００４６】
請求項５に記載の発明では、突部によってつまみ部の移動範囲が制限されるので、操作つまみの移動範囲を越えて係合部が稼動することを防止することができる。そのため、つまみ部の過移動、ひいては係合部の過移動によってスライドスイッチの破損を防止することができる。
【図面の簡単な説明】
【図１】スライドスイッチの切換操作レバーを示す図である。
【図２】第１の実施形態におけるスライドスイッチの切換操作レバーの取付け状態を説明するための図である。
【図３】第２の実施形態におけるスライドスイッチの切換操作レバーの取付け状態を説明するための図である。
【図４】固定部材の頭部にキャップを被せた状態におけるボックスの上面部分を取り除いて描いた上面図である。
【図５】取付け板及び脚部を取り除いた状態で一対の突部を設けたボックスの背面を示す図である。
【図６】特許文献１に記載のワイヤレス中継端末器の概観を示す図である。
【図７】ボックスの背面にスイッチの操作つまみが露出している状態を説明するための図である。
【符号の説明】
１０  切換操作レバー
１１  枢軸
１０１  つまみ部
１０２  枢着部
１０３  腕部
１０４  係合部
３０１、３０１’、３０１”  ボックス
３０１ａ、３０１ａ’、３０１ａ”  ボックスの一方面（背面）
３０１ｂ、３０１ｂ’、３０１ｂ”  ボックスの一側面
３０３  孔
３０４ａ、３０４ｂ  突部
３５１  スライドスイッチ
３５１ａ  操作つまみ
３６１  固定部材
３７１  キャップ
【図１】
2004288552.tif 000003
【図２】
2004288552.tif 000004
【図３】
2004288552.tif 000005
【図４】
2004288552.tif 000006
【図５】
2004288552.tif 000007
【図６】
2004288552.tif 000008
【図７】
2004288552.tif 000009